(57)【要約】【課題】ブラケットに安定して支えられ、さらに、ブラケットに端子金具が電気的に接触するのを回避した端子台を提供する。【解決手段】端子台１０には、電線接続部４２及び端子本体４１により略Ｌ字形をなす端子金具４０が支持される。端子台１０の台本体１１は、金属製のブラケット６０に突成された支持部６３に支持される支持受け部２１と、支持受け部２１と対向する側に位置して端子本体４１を固定する端子固定部１２と、端子固定部１２及び支持受け部２１と交差して配置されて電線接続部４２を沿わせる沿面部２２とを有する。また、端子台１０の隔壁２５は、台本体１１の沿面部２２に連なって支持部６３の先端と対向して配置され、電線接続部４２との間を隔てる。隔壁２５によって端子金具４０とブラケット６０とが電気的に接触するのが防止される。【選択図】図２
2014150033.tif 000002
【特許請求の範囲】
【請求項１】
電線に接続される電線接続部とこの電線接続部と交差する方向に延びる端子本体とを有する端子金具を支持する樹脂製の端子台であって、
金属製のブラケットに突成された支持部に支持される支持受け部と、前記支持受け部と対向する側に位置して前記端子金具の前記端子本体を固定する端子固定部と、前記端子固定部及び前記支持受け部と交差する側に配置されて前記端子金具の前記電線接続部を沿わせる沿面部とを有する台本体と、
前記台本体の前記沿面部に連なって、前記支持部の先端と対向して配置される隔壁とを備えることを特徴とする端子台。
【請求項２】
複数の前記端子金具を支持するものであって、前記台本体の前記沿面部には、幅方向で隣接する前記電線接続部の間を仕切る仕切り壁が設けられていることを特徴とする請求項１記載の端子台。
【請求項３】
前記隔壁が前記台本体から延出する形態をなし、前記台本体が前記ブラケットに対して正規とは反対側となる逆向きの姿勢で組み付けられようとする場合に、前記隔壁の先端が前記ブラケットの前記支持部と当接してそれ以上の組み付けを規制するように構成されていることを特徴とする請求項１又は２記載の端子台。
【発明の詳細な説明】
【技術分野】
【０００１】
本発明は、端子金具を支持する端子台に関する。
【背景技術】
【０００２】
特許文献１には、略Ｌ字形に屈曲された端子金具を支持する電気接続箱としての端子台が開示されている。端子金具は、端子台の上面にボルト等の固定部材を介して載置固定される部分と、端子台の側面に沿って配置されて電線に接続される部分とを有している。
【先行技術文献】
【特許文献】
【０００３】
【特許文献１】特開２００９−１７０３５７号公報
【発明の概要】
【発明が解決しようとする課題】
【０００４】
ところで、上記のような端子台が金属製のブラケットに取り付けられることがある。その場合に、例えば、端子台の側面にロック部が設けられ、ロック部に係止可能な取付片がブラケットに起立して設けられるとすると、端子台がブラケットに安定して支えられず、端子台の上面に固定部材の固定力が作用したときに、取付片がロック部から外れ、端子台がブラケットから脱落するおそれがある。また、仮に、ブラケットが端子金具と近接する位置に配置されると、端子金具とブラケットとが互いに接触して短絡するおそれもある。
【０００５】
本発明は上記のような事情に基づいて完成されたものであって、ブラケットに安定して支えられ、さらに、ブラケットに端子金具が電気的に接触するのを回避した端子台を提供することを目的とする。
【課題を解決するための手段】
【０００６】
本発明は、電線に接続される電線接続部とこの電線接続部と交差する方向に延びる端子本体とを有する端子金具を支持する樹脂製の端子台であって、金属製のブラケットに突成された支持部に支持される支持受け部と、前記支持受け部と対向する側に位置して前記端子金具の前記端子本体を固定する端子固定部と、前記端子固定部及び前記支持受け部と交差する側に配置されて前記端子金具の前記電線接続部を沿わせる沿面部とを有する台本体と、前記台本体の前記沿面部に連なって、前記支持部の先端と対向して配置される隔壁とを備えるところに特徴を有する。
【発明の効果】
【０００７】
台本体の端子固定部がブラケットの支持部に支持される支持受け部と対向する側に位置しているため、端子固定部に作用する固定力が支持受け部を介して支持部に直接的に伝わり受け止められる。したがって、端子台がブラケットに安定して支えられる。
【０００８】
一方、このような構成であると、支持部の先端が端子金具の電線接続部に近接する位置関係となり、ブラケットと端子金具とが電気的に接触する懸念がある。しかるに、端子台の隔壁が支持部の先端と対向して配置されることにより、支持部と電線接続部との間が隔壁により隔てられるため、ブラケットと端子金具とが電気的に接触するのが回避され、電線接続部の導通信頼性が確保される。
【図面の簡単な説明】
【０００９】
【図１】実施例１の端子台がブラケットに取り付けられて、端子固定部に端子金具が固定され、さらに、カバーが被せられた状態を示す側面図である。
【図２】端子台がブラケットに取り付けられて、端子固定部に端子金具が固定された状態を示す側面図である。
【図３】端子台がブラケットに取り付けられて、端子固定部に端子金具が固定された状態を示す背面図である。
【図４】端子台がブラケットに取り付けられて、端子固定部に端子金具が固定された状態を示す平面図である。
【図５】ブラケットに対する端子台の係止構造を示す断面図である。
【図６】端子台の背面図である。
【図７】ブラケットの側面図である。
【図８】ブラケットに対する端子台の誤組み付けが規制された状態を示す側面図である。
【発明を実施するための形態】
【００１０】
本発明の好ましい形態を以下に示す。
複数の前記端子金具を支持するものであって、前記台本体の前記沿面部には、幅方向で隣接する前記電線接続部の間を仕切る仕切り壁が設けられている。仕切り壁によって隣接する電線接続部間の電気的な接触も回避される。
【００１１】
前記隔壁が前記台本体から延出する形態をなし、前記台本体が前記ブラケットに対して正規とは反対側となる逆向きの姿勢で組み付けられようとする場合に、前記隔壁の先端が前記ブラケットの前記支持部と当接してそれ以上の組み付けを規制するように構成されている。このように隔壁の先端がブラケットの支持部に当接することにより、端子台の誤組み付けが防止される。また、かかる誤組み付け防止構造が隔壁で構成されることにより、専用の誤組み付け防止構造が不要とされ、構成の簡素化を図ることができる。
【００１２】
＜実施例１＞
本発明の実施例１を図１〜図８によって説明する。実施例１の端子台１０は、自動車の電源線を中継する連結用の端子台を例示するものであって、金属製のブラケット６０に支えられ、さらに端子金具４０が固定されるようになっている。なお、以下の説明において、前後方向については、図１の右側を前方とし、上下方向については、図１を基準とする。
【００１３】
ブラケット６０は金属製であって、図７に示すように、一枚の平板材を曲げ加工して成形されている。ブラケット６０は、図示しない車両の設置面に固定される基板部６１と、基板部６１の上端に対して上方へ鈍角に屈曲して連なる持ち送り部６２と、持ち送り部６２の上端に対して上方へ鈍角に屈曲して連なる支持部６３と、支持部６３の両側縁に対して略直角に屈曲して立ち上がる一対の取付部６４とからなる。
【００１４】
基板部６１は、車両の設置面に図示しないボルトを介して固定され、ボルトが貫通する複数のボルト貫通孔６５を有している。支持部６３は、基板部６１が車両に固定された状態で、前後方向にほぼ沿って略水平に配置される。両取付部６４は支持部６３の両側縁に対して互いに前後方向に位置ずれしており、両取付部６４のうち、一方の取付部６４は支持部６３の一側縁の前端部に位置し、他方の取付部６４は支持部６３の他側縁の前後方向中間部に位置している。また、両取付部６４には、略矩形の取付孔６６が開口して設けられている。
【００１５】
端子金具４０は金属製の板材であって略Ｌ字形に屈曲する形態とされ、図２〜図４に示すように、端子台１０に固定された状態で、前後方向に沿って略水平に配置される端子本体４１と、端子本体４１の後端から下方に屈曲されて上下方向に沿って略垂直に配置される電線接続部４２とを有している。電線接続部４２は、電線９０の端末部において露出する芯線９１に圧着により接続されている。端子本体４１は、後述するスタッドボルト１３が貫通する接続孔４３を有している（図２を参照）。端子台１０には、図３に示すように、一対の端子金具４０が固定されるようになっている。
【００１６】
端子台１０は合成樹脂製であって、図１に示すように、角箱状の台本体１１と、台本体１１に被せ付けられるキャップ状のカバー３０とを備えている。台本体１１の上面には、図４に示すように、両端子金具４０の端子本体４１を固定するための端子固定部１２が設けられている。台本体１１の端子固定部１２には、図６に示すように、幅方向に対をなす略円柱状のスタッドボルト１３が起立して設けられ、さらに、両スタッドボルト１３に架け渡されてインサートされた帯板状の連結端子１４が露出して配設されている。なお、台本体１１の上面には、電線接続部４２が引き出される後端側を除いて、端子固定部１２の周りを取り囲む周壁１５が突設されている（図４を参照）。
【００１７】
また、台本体１１には、図４に示すように、端子固定部１２を挟んだ幅方向両側で且つ互いに前後方向に位置ずれした位置に、一対の装着孔１６が上下方向に貫通して設けられ、さらに、両装着孔１６内に臨むようにして一対の弾性係止片１７が設けられている。弾性係止片１７は、図５に示すように、装着孔１６の内面下部から斜め上方へ片持ち状に延びる形態とされ、装着孔１６の内面下部を支点として撓み変形可能とされている。装着孔１６にはこの装着孔１６の内面（弾性係止片１７が連結される面とは反対側の面）に沿って下方からブラケット６０の取付部６４が挿入され、取付部６４の取付孔６６に弾性係止片１７の先端部が弾性的に嵌ることにより、端子台１０がブラケット６０に抜け止めされるようになっている。
【００１８】
台本体１１の両側外面には、弾性係止片１７と対向する位置に、一対の窓孔１８が開口して設けられている（図５を参照）。弾性係止片１７は、図１及び図５に示すように、窓孔１８を通して側方から視認可能とされている。また、図６に示すように、台本体１１の両側外面の上端部には、一対のロック部１９が突設されている。両ロック部１９には、カバー３０の後述するロック片３１が係止可能とされている。
【００１９】
台本体１１の下面における装着孔１６の開口周りには、図５に示すように、ブラケット６０の支持部６３に当接可能に支持される一対の支持受け部２１が設けられている。支持受け部２１は、端子固定部１２と上下方向で対向する平坦面とされている。
【００２０】
台本体１１の後面には、図６に示すように、沿面部２２が設けられている。沿面部２２は、端子固定部１２及び支持受け部２１の面方向と直交する方向に沿った平坦面であって、端子固定部１２から支持受け部２１に至る上下範囲に配置されている。
【００２１】
沿面部２２には、図３に示すように、両端子金具４０の電線接続部４２が幅方向に隣接して配置されている。沿面部２２の幅方向中央部には、両電線接続部４２の間を仕切る仕切り壁２３が設けられている。仕切り壁２３は、上下方向に延びる板状の形態とされ、電線接続部４２の圧着領域全体を覆う範囲に配置されている。
【００２２】
また、沿面部２２の幅方向両端部には、両端子金具４０の電線接続部４２を挟んだ両側に、一対の保護壁２４が設けられている。両保護壁２４は、上下方向に延びる板状の形態とされ、その下端が仕切り壁２３の下端と同じ高さ位置に配置されている。そして、両端子金具４０の電線接続部４２は、両保護壁２４によって側方から覆い隠されるようになっている。
【００２３】
さらに、端子台１０は、台本体１１の下端から下方に延びる隔壁２５を備えている。隔壁２５は、沿面部２２に面一で連続するとともに台本体１１の全幅に亘る平板状の形態とされている。また、隔壁２５は、電線９０の端末部を覆う範囲に配置されている。そして、隔壁２５は、図２に示すように、ブラケット６０の支持部６３の先端に前後方向で対向して配置されている。さらに、隔壁２５の前面には、図５に示すように、支持受け部２１に連なる板状の突片２６が設けられている。突片２６は、隔壁２５の前面に略直角に連なる形態とされている。
【００２４】
カバー３０は、両端子金具４０及び電線９０の端末部を覆うように台本体１１に上方から装着され、その両側外面から下向きに延出する一対のロック片３１が台本体１１の両ロック部１９に弾性的に係止されることにより、台本体１１に抜け止め保持されるようになっている（図１を参照）。カバー３０が台本体１１に正規装着された状態では、両保護壁２４の外側方がカバー３０の両側壁３２で覆われるようになっている。なお、カバー３０の内面には、両端子金具４０の端子本体４１間を隔てる図示しない仕切り板が設けられている。
【００２５】
次に、実施例１の端子台１０に対する端子金具４０の組み付け方法及び作用効果について説明する。
まず、ブラケット６０の基板部６１が図示しない車両の設置面にボルト締めされ、ブラケット６０が車両に取り付け固定される。続いて、端子台１０がブラケット６０の支持部６３に載せられる。すると、ブラケット６０の両取付部６４が対応する取付孔６６に挿入されて弾性係止片１７に弾性係止され、もってブラケット６０に端子台１０が載置固定される。このとき、端子金具４０の電線接続部４２と支持部６３との間には隔壁２５が介在しているため、電線接続部４２と支持部６３とが電気的につながることはない。
【００２６】
一方、図８に示すように、ブラケット６０に対して端子台１０が前後反転した誤組み付け姿勢をとって組み付けられようとすると、隔壁２５の下端がブラケット６０の支持部６３の上面に当接してそれ以上の組み付けが規制されるため、端子台１０が誤組み付け姿勢のままブラケット６０に組み付けられることはない。  
【００２７】
端子台１０がブラケット６０に組み付けられた後、台本体１１の端子固定部１２に両端子金具４０の端子本体４１が固定される。このとき、端子本体４１の接続孔４３にスタッドボルト１３が通されて、図３に示すように、スタッドボルト１３にナット等の固定部材５０が締め付けられることにより、端子本体４１が台本体１１の端子固定部１２に固定される。固定部材５０の締め付け時には、端子固定部１２が押圧されて、台本体１１に下向きの固定力が作用するものの、かかる固定力の作用方向と対向する位置で台本体１１の支持受け部２１がブラケット６０の支持部６３に支えられているため、端子台１０がブラケット６０から抜け落ちたりすることはない。そして、両端子金具４０がスタッドボルト１３に固定部材５０を介して固定されるに伴い、端子固定部１２にインサートされた連結端子１４に両端子金具４０が接続され、連結端子１４を介して両端子金具４０が互いに短絡して接続される。最後に、台本体１１にカバー３０が被せられ、両端子金具４０及び連結端子１４の周囲がカバー３０で覆われて保護される。
【００２８】
以上説明したように、実施例１によれば、台本体１１の端子固定部１２がブラケット６０の支持部６３に支持される支持受け部２１と対向する側に位置しているため、固定部材５０の締め付けに伴い端子固定部１２に作用する固定力が支持受け部２１を介して支持部６３に直接的に受け止められる。したがって、端子台１０がブラケット６０に安定して支えられる。
【００２９】
また、支持部６３の先端が端子金具４０の電線接続部４２に近接する位置に配置されるものの、端子台１０の隔壁２５が支持部６３の先端と電線接続部４２との間を隔てることにより、ブラケット６０と端子金具４０とが電気的に接触するのが回避されるため、電線接続部４２の導通信頼性が確保される。
【００３０】
また、台本体１１の沿面部２２に設けられた仕切り壁２３が幅方向で隣接する両端子金具４０の電線接続部４２間を隔てることにより、両端子金具４０同士の電気的な接触も回避される。
【００３１】
さらに、端子台１０がブラケット６０に対して誤組み付け姿勢をとる場合には、隔壁２５の下端がブラケット６０の支持部６３に当接してそれ以上の組み付けを規制するため、端子台１０がブラケット６０に誤組み付け姿勢のまま組み付けられる事態が回避される。しかも、かかる誤組み付け防止構造が隔壁２５で構成されるため、専用の誤組み付け防止構造が不要とされ、全体の構成が簡素化される。
【００３２】
＜他の実施例＞
本発明は上記記述及び図面によって説明した実施例に限定されるものではなく、例えば次のような態様も本発明の技術的範囲に含まれる。
（１）端子台に連結端子が設けられてない構成であってもよい。例えば、端子金具がバッテリー端子として構成され、端子台がバッテリーの筐体からなるものであってもよい。
（２）支持受け部は台本体の下面全体に構成されるものであってもよい。
（３）隔壁は、支持部の先端と対向して支持部と電線接続部との間を隔てる構造を有していればその他の形状は任意であり、例えば、隔壁は、両端子金具毎に分断して設けられてもよい。
（４）ブラケットは、端子台の支持受け部を支持する支持部を有していればその他の形状は任意であり、例えば、ブラケットは、持ち送り部が省略され、支持部と基板部とで略Ｌ字形に屈曲する形態であってもよい。
【符号の説明】
【００３３】
１０…端子台
１１…台本体
１２…端子固定部
２１…支持受け部
２２…沿面部
２３…仕切り壁
２５…隔壁
４０…端子金具
４１…端子本体
４２…電線接続部
６０…ブラケット
６３…支持部
９０…電線 
【図１】
2014150033.tif 000003
【図２】
2014150033.tif 000004
【図３】
2014150033.tif 000005
【図４】
2014150033.tif 000006
【図５】
2014150033.tif 000007
【図６】
2014150033.tif 000008
【図７】
2014150033.tif 000009
【図８】
2014150033.tif 000010